(57)【要約】【課題】節水型洋式便器を提供する。【解決手段】本発明は節水型洋式便器に関し、さらに詳しくは密閉型水タンクが形成された節水型洋式便器の作動スイッチを容易に作動できる上に、タンク内部の空気圧力が自動的に調節され洗浄水の流出量が水圧の変化に関係なく一定に維持され得る節水型洋式便器に関する。本発明は、一般的な洋式便器において、密閉型の水タンクの内部に開閉浮玉が形成された開閉ガイドが形成され、前記開閉ガイドの周辺には空間を分割する仕切りが形成され、前記水タンクの下端には洗浄水流出管が形成され、前記洗浄水流出管の側面にはフラッシュバルブが形成され、前記フラッシュバルブの下端には便器が形成されたことを特徴とする。本発明による節水型洋式便器によれば、密閉型水タンクを構成して水圧と空気圧を同時に利用し、空気が自動的に水タンクに流入することができるので空気圧が調節され、洗浄水が流入する圧力が変わっても洗浄水の使用量が一定であり、少量の洗浄水を用いても逆Ｕ字管を容易に乗り越えることができるため洗浄水の使用量が顕著に少ない効果がある。【選択図】図１
2010509524.tif 000002
【特許請求の範囲】
【請求項１】
密閉型水タンクと下端に貯水槽が形成された便器とを備える節水型洋式便器において、
下端の側面に多数の孔を含む開閉ガイド、前記開閉ガイドの下端に配置された洗浄水流出口を囲む前記開閉ガイドの上端の中央に形成された孔、前記開閉ガイドの内部に挿入された開閉浮玉、前記孔の上方に配置されて外部から調節可能である空気圧力調節具、前記開閉ガイドから離隔されて前記開閉ガイドの両側に形成された仕切り、および前記仕切りの内部に形成された圧力水流入口を有する密閉型水タンクと、
前記洗浄水流出口と連結され、空気流入バルブが配置された給水管と連結される一方側を有する洗浄水流出管と、
前記洗浄水流出管の他方側に連通され、上端にて前記水タンクの前記圧力水流入口と連結された圧力水流入管と連結され、前記圧力水流入管と離隔してボタンが配置された圧力水流出管と連結され、内部にピストンを含むフラッシュバルブと、
上端の一方側で前記フラッシュバルブの下端と連結される供給管と連結され、洗浄水が溜まる貯水槽の周辺内部で前記供給管と連通され、前記貯水槽の内部上端に形成された上部洗浄水流出口及び前記貯水槽の下端に形成された下部洗浄水流出口と連結される洗浄水管路と
を備える節水型洋式便器。
【請求項２】
前記開閉ガイドは上端に孔が形成され、側面の下端には洗浄水が流通できるように多数の孔が形成されたことを特徴とする請求項１に記載の節水型洋式便器。
【請求項３】
前記圧力水流入管には中央に時間調節バルブが形成されたことを特徴とする請求項１に記載の節水型洋式便器。
【請求項４】
前記開閉ガイドの上端に形成された孔には空気圧力調節具の先端に形成された調節ノブが挿入されるが、前記空気圧力調節具には水タンクの外部から調節可能なように調節ボルトが形成され、前記調節ボルトに連結されて円錐形状を上下逆にした形状の調節ノブが形成されたことを特徴とする請求項１に記載の節水型洋式便器。
【請求項５】
前記仕切りは水タンクの内部の空間を開閉ガイドを中心に３等分できるように形成されるか、開閉ガイドのように円形に開閉ガイドと所定空間離隔して形成されたことを特徴とする請求項１に記載の節水型洋式便器。
【請求項６】
前記仕切りの上下に二つの逆流防止バルブが形成され、前記各々の逆流防止バルブの間から外部に延長され、上端の高さが仕切りの上端の高さと一致する副仕切りが形成されたことを特徴とする請求項１に記載の節水型洋式便器。
【請求項７】
密閉型水タンクと下端に貯水槽が形成された便器とを備える節水型洋式便器において、
下端の側面に多数の孔を含む開閉ガイド、前記開閉ガイドの下端に配置された洗浄水流出口を囲む前記開閉ガイドの上端の中央に形成された孔、前記開閉ガイドの内部に挿入された開閉浮玉、前記孔の上方に配置されて外部から調節可能である空気圧力調節具、前記開閉ガイドから離隔されて前記開閉ガイドの両側に形成された仕切り、および前記仕切りの内部に形成された圧力水流入口を有する密閉型水タンクと、
前記洗浄水流出口と連結され、空気流入バルブが配置された給水管と連結される一方側を有する洗浄水流出管と、
前記洗浄水流出管の他方側に連通され、上端にて前記水タンクの前記圧力水流入口と連結された圧力水流入管と連結され、前記圧力水流入管と離隔してボタンが配置された圧力水流出管と連結され、内部にピストンを含むフラッシュバルブと、
上端の一方側で前記フラッシュバルブの下端と連結される供給管と連結され、洗浄水が溜まる貯水槽の周辺内部で前記供給管と連通され、前記貯水槽の内部上端に形成された上部洗浄水流出口及び前記貯水槽の下端に形成された下部洗浄水流出口と連結される洗浄水管路と、
前記仕切りを変更した前記開閉ガイドから離間された洗浄水保存仕切りと、
前記洗浄水保存仕切りの上端を塞ぐように搭載され、前記洗浄水保存仕切りの外周から突出するように前記洗浄水保存仕切りよりも大きい直径を有し、前記洗浄水保存仕切りと連通して上側に突出する連結部を含み、下端に前記洗浄水保存仕切りと連通する連結孔が規定される、副仕切りを変更した補助保存仕切りと
を備える節水型洋式便器。
【請求項８】
前記補助保存仕切りは上端は開放され、下端は塞がれており、中央には貫通する連通部が形成されるドーナッツ形状に構成されることを特徴とする請求項７に記載の節水型洋式便器。
【発明の詳細な説明】
【技術分野】
【０００１】
本発明は節水型洋式便器に関し、さらに詳しくは密閉型水タンクが形成された節水型洋式便器の作動スイッチを容易に作動できる上に、タンク内部の空気圧力が自動的に調節され洗浄水の流出量が水圧の変化に関係なく一定に維持されることができる節水型洋式便器に関する。
【背景技術】
【０００２】
一般的な洋式便器は、トイレの悪臭を除去し衛生的にするために一定量の洗浄水を水タンクに保存して、そこから得た水圧を用いて洋式便器の内部を洗浄できるようにしたものである。
【０００３】
前記洋式便器には排水管の連結部位にサイフォン現象を誘導するための逆Ｕ字型管路が形成されて悪臭や虫などの流入を防ぐことになるが、前記サイフォン現象の原理は排水管内の圧力差によって発生する吸入力を用いて汚物と洗浄水を同時に排出させるようにしたものである。
【０００４】
従来の洋式便器は、前記サイフォン現象を誘導するために多量（１３リットル程度）の洗浄水を使用しなければならない問題点があった。
【０００５】
上述の問題を解決するために、本願出願人は密閉型水タンクを使用して空気圧を水圧とともに洗浄水に供給することができるため３リットル程度の洗浄水でも貯水槽の洗浄が可能な節水型洋式便器を大韓民国特許庁に出願し、登録特許公報第０５３０５７５号に開示した。
【発明の概要】
【発明が解決しようとする課題】
【０００６】
しかし、前記従来の節水型洋式便器は、一般に逆Ｕ字管が設置された洋式便器に設置する場合、作動がうまくいかず、密閉型水タンク内に空気を注入するために貯水槽の上端に弾性管を形成する等、構成が非常に複雑で実用性に劣る問題点があった。
【０００７】
また、家や建物に供給される洗浄水の圧力の偏差が激しいため洗浄水の使用量が一定でないなどの問題点があった。
【課題を解決するための手段】
【０００８】
本発明は密閉型の水タンクが形成され、下端に貯水槽が形成された便器で構成された一般的な洋式便器において、下端に形成された洗浄水流出口の周辺に上端の中央には孔が形成され、側面の下端には多数の孔が形成された開閉ガイドの内部に開閉浮玉が挿入され、前記開閉ガイドの上端に形成された孔には外部から調節可能な空気圧力調節具が形成され、前記開閉ガイドと離隔して両側に仕切りが形成され、前記仕切りの内部に圧力水流入口が形成された密閉型水タンクと、前記洗浄水流出口と連結され、一側面に空気流入バルブが形成された給水管と連結された洗浄水流出管と、前記洗浄水流出管の他側面に連通され、上端には水タンクの圧力水流入口と連結された圧力水流入管が形成され、前記圧力水流入管と離隔してボタンが形成された圧力水流出管が形成され、内部にはピストンが形成されたフラッシュバルブと、前記フラッシュバルブの下端と連結される供給管が上端一側に形成され、洗浄水が溜まる貯水槽の周辺内部に前記供給管と連通された洗浄水管路と、が形成され、前記洗浄水管路は貯水槽の内部上端に形成された上部洗浄水流出口及び下端に形成された下部洗浄水流出口と連結されたことを特徴とする。
【発明の効果】
【０００９】
本発明による節水用洋式便器によれば、次のような効果が発生する。
【００１０】
密閉型水タンクを構成して水圧と空気圧を同時に利用し、空気が自動的に水タンクに流入することができるので空気圧が調節される。
【００１１】
洗浄水が流入する圧力が変わっても洗浄水の使用量が一定である。
【００１２】
少量の洗浄水を用いても逆Ｕ字管を容易に乗り越えることができるため洗浄水の使用量が顕著に少ない。
【図面の簡単な説明】
【００１３】
【図１】本発明の実施の形態によって形成された節水型洋式便器の断面図である。
【図２】本発明の実施の形態によって形成された節水型洋式便器の水タンク部分の斜視図である。
【図３】本発明の実施の形態によって形成された節水型洋式便器の他の形態の水タンクの断面図である。
【図４】本発明の実施の形態によって形成された節水型洋式便器の他の形態の水タンク部分の斜視図である。
【図５】本発明の他の実施の形態によって形成された節水型洋式便器の断面図である。
【発明を実施するための形態】
【００１４】
本発明は密閉型の水タンク２００が形成され、下端に貯水槽１８０が形成された便器１００で構成された一般的な洋式便器において、下端に形成された洗浄水流出口２１０の周辺に上端の中央には孔２４２が形成され、側面の下端には多数の孔が形成された開閉ガイド２１４の内部に開閉浮玉２１２が挿入され、前記開閉ガイド２１４の上端に形成された孔２４２には外部から調節可能な空気圧力調節具２４０が形成され、前記開閉ガイドと離隔して両側に仕切り２３０が形成され、前記仕切り２３０の内部に圧力水流入口２２０が形成された密閉型水タンク２００と、前記洗浄水流出口２１０と連結され、一側面に空気流入バルブ３１２が形成された給水管３１０と連結された洗浄水流出管３００と、前記洗浄水流出管３００の他側面に連通され、上端には水タンク２００の圧力水流入口２２０と連結された圧力水流入管２２２が形成され、前記圧力水流入管２２２と離隔してボタン４１０ａが形成された圧力水流出管４１０が形成され、内部にはピストン４２０が形成されたフラッシュバルブ４００と、前記フラッシュバルブ４００の下端と連結される供給管１１０が上端一側に形成され、洗浄水が溜まる貯水槽１８０の周辺内部に前記供給管１１０と連通された洗浄水管路１１２と、が形成され、前記洗浄水管路１１２は貯水槽１８０の内部上端に形成された上部洗浄水流出口１１４及び下端に形成された下部洗浄水流出口１１６と連結されて構成される。
【００１５】
前記水タンク２００は球形であるが、前後方が半球形に形成され中央は円形管に形成された一般的な密閉型水タンクの形態に形成され、下端には洗浄水流出口２１０と圧力水流入口２２０が形成される。
【００１６】
前記水タンク２００には内部の水位を確認できるように下端に確認窓２０５が形成される。
【００１７】
前記水タンク２００の内部には洗浄水流出口２１０の周辺に開閉ガイド２１４が形成されるが、前記開閉ガイド２１４は上端に孔２４２が形成され、側面の下端には洗浄水が流通できるように多数の孔が形成される。
【００１８】
前記開閉ガイド２１４の内部には球形の開閉浮玉２１２が形成されるが、前記開閉浮玉２１２は開閉ガイド２１４内で上下に移動しながら洗浄水流出口２１０を開閉する。
【００１９】
前記水タンク２００の開閉ガイド２１４と離隔して水タンク２００の内部を所定高さで分割するように仕切り２３０が形成される。
【００２０】
前記仕切り２３０は水タンク２００の洗浄水が保存される空間を所定高さで分けるように形成され、最初は洗浄水が開閉ガイド２１４の周辺のみに溜まるが所定圧力以上になると、仕切り２３０を乗り越えて外部空間に洗浄水が越えて行く。
【００２１】
前記仕切り２３０の下端には逆流防止バルブ２３２が形成されるが、前記逆流防止バルブ２３２は仕切り２３０を中心に内部空間の洗浄水は外部空間に流出することができないが、外部空間の洗浄水は内部空間に流入することができるように形成される。
【００２２】
前記仕切り２３０は水タンク２００の内部の空間を開閉ガイド２１４を中心に３等分できるように形成されるか、開閉ガイド２１４のように円形に開閉ガイド２１４と所定空間離隔して形成されても良い。
【００２３】
前記仕切り２３０の他の形態として、図３、図４のように上下に二つの逆流防止バルブ２３２が形成され、前記上下の逆流防止バルブ２３２の間から外部に延長されて上端の高さが仕切り２３０の上端の高さと一致する副仕切り２３７が形成される。
【００２４】
前記副仕切り２３７は仕切り２３０を乗り越えて行った洗浄水が再度溜まるものであって、より強い空気圧と水圧を継続的に維持することができる。
【００２５】
前記開閉ガイド２１４の上端に形成された孔２４２には空気圧力調節具２４０の先端に形成された調節ノブ２４３が挿入されるが、前記空気圧力調節具２４０には水タンク２００の外部から調節可能なように調節ボルト２４１が形成され、前記調節ボルトに連結されて円錐形状を上下逆にした形状の調節ノブ２４３が形成される。
【００２６】
前記調節ノブ２４３は円錐形状の最先端部が孔２４２に挿入されながら孔２４２の大きさを調節するが、孔２４２の大きさを調節することによって開閉浮玉２１２の落下時間を調節して水タンク２００の内部の空気圧を一定に維持させることができる。
【００２７】
前記開閉浮玉２１２は洗浄水流出口２１０に形成されたパッキング２１０ａに固着して空気の流出を遮断し、洗浄水が再び流入すると浮力によって開閉ガイド２１４の最上端で停止するようになる。
【００２８】
前記洗浄水流出口２１０と離隔して圧力水流入口２２０が形成されるが、前記圧力水流入口２２０は圧力水流入管２２２と連通され、中央に時間調節バルブ４５０が形成され、下端がフラッシュバルブ４００の上端と連結される。
【００２９】
前記洗浄水流出管３００は上端が洗浄水流出口２１０と連通され、一側には給水管３１０と連通され、他側はフラッシュバルブ４００と連通される。
【００３０】
前記給水管３１０には従来の給水調節バルブ３１４、逆流防止バルブ３１６及び空気流入バルブ３１２が形成される。
【００３１】
前記洗浄水流出管３００はその直径が給水管３１０の直径より２倍以上大きく形成されるが、これは洗浄水が洗浄水流出口２１０を介して水タンク２００内部に流入する時に、空気流入バルブ３１２から多くの空気を吸い込ませるようにするためである。
【００３２】
前記フラッシュバルブ４００の内部にはピストン４２０が上下に移動しながら供給管１１０を開閉する。
【００３３】
前記圧力水流出管４１０はフラッシュバルブ４００の上端と連通され、先端にはボタン４１０ａが形成され、前記ボタン４１０ａには退水管４３０が供給管１１０の側面と連通される。
【００３４】
前記貯水槽１８０の周辺内壁には洗浄水管路１１２が供給管１１０と連通され、前記洗浄水管路１１２は上部洗浄水流出口１１４と下部洗浄水流出口１１６とに連結されて洗浄水を供給する。
【００３５】
前記下部洗浄水流出口１１６は洗浄水が逆Ｕ字管５００を容易に乗り越えられるようにするために、初期圧力が強く作用するように形成されたものであって、直径が５〜７ｍｍに形成されるのが好ましい。
【００３６】
もし、前記下部洗浄水流出口１１６の直径が５〜７ｍｍより小さい場合には、初期圧力は高くなり得るが、供給される洗浄水の初期量が少ないため逆Ｕ字管を乗り越えることができず、また直径が５〜７ｍｍより大きい場合には初期圧力が低いため逆Ｕ字管を乗り越えることができない。
【００３７】
本発明の他の実施の形態によれば、前記密閉型水タンク２００の内部に形成された仕切り２３０及び副仕切り２３７は、図５のように洗浄水保存仕切り１０及び補助保存仕切り２０に形成され、前記洗浄水保存仕切り１０は開閉ガイド２１４と離隔して形成されるように円筒状に形成され、前記補助保存仕切り２０は洗浄水保存仕切り１０の上端を塞げるように形成され、洗浄水保存仕切り１０より外周縁に突出するように直径が大きく形成され、中央には洗浄水保存仕切り１０と連通されて上端に突出した連通部２２が形成され、下端には洗浄水保存仕切り１０と連通される連通孔２３が形成される。
【００３８】
前記洗浄水保存仕切り１０は従来の仕切り２３０と保存容量が同じになるように高さは低く、直径が大きくなるように形成される。
【００３９】
前記洗浄水保存仕切り１０の側面の下端には外部から洗浄水が流入することができるようにチェックバルブが形成される。
【００４０】
前記補助保存仕切り２０は上端は開放され下端は塞がれており、中央には貫通する連通部２２が形成されるドーナッツ形状に構成される。
【００４１】
前記補助保存仕切り２０の下端には洗浄水保存仕切り１０と連通される連通孔２３が形成される。
【００４２】
前記補助保存仕切り２０は洗浄水保存仕切り１０の上端を塞げるように上端に置かれるが、補助保存仕切り２０の直径が大きいため洗浄水保存仕切り１０より側面に突出する。
【００４３】
上記のように形成すれば、密閉型水タンク２００は容量が７〜１０リットルになれば別途の空気圧を流入させなくても作動が可能であり、給水管３１０の流入チェックバルブ３１６が無くても作動が可能である。
【００４４】
以下、本発明の好ましい実施の形態によって形成された節水用洋式便器の作動及び使用方法は、次のとおりである。
【００４５】
最初に設置する際には、給水調節バルブ３１４を閉じ、空気流入バルブ３１２を介して水タンク２００の内部の圧力が２気圧になるように空気を注入し、空気圧力調節具２４０で孔の大きさを調節し、給水調節バルブ３１４を開いた後に洗浄水を水タンク２００へ流入させる。
【００４６】
上記のように水タンク２００に洗浄水が流入する時、洗浄水が仕切り２３０を乗り越えて水タンク２００内部の底面に４〜５ｃｍ程度溜まることができるようにする。
【００４７】
上記のように用意された洋式便器を使用するために使用者がボタン４１０ａを押して水タンク２００の内部の水を貯水槽１８０に流出させる。
【００４８】
前記ボタン４１０ａを押すと、フラッシュバルブ４００の内部、ピストン４２０の上端に溜まっていた洗浄水が退水管４３０を介して流出して圧力が低くなり、この時、洗浄水流出管３００側の圧力が相対的に強くなってピストン４２０を上部に押し上げながら洗浄水が供給管１１０に流出される。
【００４９】
前記ボタン４１０ａを押していた手を離すと、退水管４３０が閉鎖され、この時、洗浄水が圧力水流入管２２２を介してピストン４２０の上端に流入すると同時に、洗浄水流出管３００を介して供給管１１０に洗浄水が流出されて洗浄水流出管３００側の圧力が低くなれば、ピストン４２０が下降して供給管１１０を閉鎖する。
【００５０】
この時、フラッシュバルブ４００が速く閉じられて洗浄水流出量が足りなくなれば、時間調節バルブ４５０を調節してピストン４２０の下降時間を遅らせる。
【００５１】
もし、給水管３１０を介して流入する洗浄水の圧力が最初圧力より低い場合には、洗浄水が仕切り２３０の内部のみに溜まるようになり、洗浄水の流出量は継続的に一定に維持され得る。
【００５２】
もし、給水管３１０を介して流入する洗浄水の圧力が最初圧力より高い場合には、洗浄水が仕切り２３０を乗り越えて外部空間にも洗浄水が溜まるようになるが、この場合にも仕切り２３０の内部空間の洗浄水が全部流出した後に、外部空間の洗浄水が逆流防止バルブ２３２を介して内部空間へ移動するようになって洗浄水の流出量は一定に維持される。
【００５３】
また、前記空気圧力調節具２４０を調節して孔２４２の大きさを調節して開閉浮玉２１２をゆっくりと下降させることによって水タンク２００の内部に過度に形成された空気圧の一部を洗浄水流出口２１０を介して排出させて水タンク２００内部の空気圧を一定に維持することができる。
【００５４】
上記のように本発明の洋式便器によれば、洗浄水流出量が仕切り２３０の内部にある洗浄水量に制限されるので、１.５〜２リットル程度の洗浄水で洋式便器の貯水槽１８０を洗浄することができる。
【図１】
2010509524.tif 000003
【図２】
2010509524.tif 000004
【図３】
2010509524.tif 000005
【図４】
2010509524.tif 000006
【図５】
2010509524.tif 000007
【国際調査報告】
2010509524.tif 000008
2010509524.tif 000009